(57)【要約】【課題】ユーザー自身の感覚を生かした選曲候補の検索を、迅速に行うことができる楽曲検索装置、楽曲検索方法、楽曲検索システムおよびプログラムを提供する。【解決手段】楽曲データの関連情報Ａに基づいて、１以上の楽曲を検索するＤＪプレーヤー１であって、関連情報Ａ別の複数の選択肢Ｂの中から、それぞれ１の選択肢Ｂを選択するための複数の選択操作子２１と、選択された関連情報Ａ別の複数の選択肢Ｂを検索のＡＮＤ条件として、多数の楽曲から１以上の楽曲を検索する楽曲検索部４３と、検索された１以上の楽曲を表示する楽曲表示部２２と、を備えたものである。【選択図】図２
2015082281.tif 000002
【特許請求の範囲】
【請求項１】
楽曲データの関連情報に基づいて、楽曲を検索する楽曲検索装置であって、
前記関連情報別の複数の選択肢の中から、それぞれ１の選択肢を選択するための複数の選択操作部と、
選択された前記関連情報別の選択肢を検索のＡＮＤ条件として、前記多数の楽曲から楽曲を検索する楽曲検索部と、
検索された前記楽曲を表示する楽曲表示部と、を備えたことを特徴とする楽曲検索装置。
【請求項２】
前記複数の選択操作部は、それぞれ機械的な操作子で構成されていることを特徴とする請求項１に記載の楽曲検索装置。
【請求項３】
前記複数の選択操作部は、横並びに配置した複数のホイール型操作子で構成され、
前記各ホイール型操作子には、前記１の選択肢を選択するためのプッシュスイッチが組み込まれていることを特徴とする請求項２に記載の楽曲検索装置。
【請求項４】
前記楽曲検索部は、任意の１の前記選択操作部による前記１の選択肢の選択に応じて、随時検索を実施することを特徴とする請求項１ないし３のいずれかに記載の楽曲検索装置。
【請求項５】
前記複数種の関連情報には、ＢＰＭ、ジャケットのイメージ色、調性、曲調、レーティングおよび発売年代のうちの、複数種が含まれていることを特徴とする請求項１ないし４のいずれかに記載の楽曲検索装置。
【請求項６】
前記複数の選択操作部にそれぞれ前記関連情報を設定するための関連情報設定部を、更に備えたことを特徴とする請求項１ないし５のいずれかに記載の楽曲検索装置。
【請求項７】
前記各選択操作部に沿わせて設けられ、設定された前記関連情報を表示する関連情報表示部を、更に備えたことを特徴とする請求項６に記載の楽曲検索装置。
【請求項８】
前記各選択操作部に沿わせて設けられ、前記各選択操作部の選択操作に応じて前記複数の選択肢を循環表示する選択肢表示部を、更に備えたことを特徴とする請求項１ないし７のいずれかに記載の楽曲検索装置。
【請求項９】
前記楽曲表示部は、検索された前記楽曲に、前記検索のＡＮＤ条件となった複数の選択肢を付して表示することを特徴とする請求項１ないし８のいずれかに記載の楽曲検索装置。
【請求項１０】
検索された前記楽曲は、プレイリストに登録するための候補であり、
前記候補から１の楽曲が選択されたときに、当該楽曲をプレイリストに登録する楽曲登録部を、更に備えたことを特徴とする請求項１ないし９のいずれかに記載の楽曲検索装置。
【請求項１１】
楽曲データの関連情報に基づいて、楽曲を検索する楽曲検索方法であって、
前記関連情報別の複数の選択肢の中から、それぞれ１の選択肢を選択させる選択操作ステップと、
選択された前記関連情報別の選択肢を検索のＡＮＤ条件として、前記多数の楽曲から楽曲を検索する楽曲検索ステップと、
検索された前記楽曲を表示する楽曲表示ステップと、を備えたことを特徴とする楽曲検索方法。
【請求項１２】
楽曲データの関連情報に基づいて、楽曲を検索する楽曲検索システムであって、
前記関連情報別の複数の選択肢の中から、それぞれ１の選択肢を選択するための複数の選択操作部と、
選択された前記関連情報別の選択肢を検索のＡＮＤ条件として、前記多数の楽曲から楽曲を検索する楽曲検索部と、
検索された前記楽曲を表示する楽曲表示部と、を備えたことを特徴とする楽曲検索システム。
【請求項１３】
請求項１１に記載の楽曲検索方法における各ステップを実行させるためのプログラム。
【発明の詳細な説明】
【技術分野】
【０００１】
本発明は、多数の楽曲の中から所望の楽曲を検索する楽曲検索装置、楽曲検索方法、楽曲検索システムおよびプログラムに関するものである。
【背景技術】
【０００２】
従来、ハードディスク等の記憶装置に記憶された多数の楽曲のうちから所望の楽曲を検索する項目検索方法が知られている（特許文献１参照）。
この項目検索方法は、ハードディスクに記憶されている楽曲の音楽データを五十音順にソートし、頭文字（読みの最初の１文字）毎のグループに区分けしたリストを作成する工程と、最初の数曲分の音楽データを表示装置に表示する工程と、ロータリーエンコーダーのダイヤルの回転に合わせて、五十音順の音楽データを画面上でスクロールする工程と、を備えている。音楽データには、曲名の他、アーティスト名やアルバム名が用意され、これらを指定して検索が行えるようになっている。
そして、スクロールにより頭文字が変化すると、ビープ音を出力すると共に、画面のスクロールを０．５秒間停止する。これにより、ダイヤルの回転が速くても、画面に表示されている曲名を確認することができる。
【先行技術文献】
【特許文献】
【０００３】
【特許文献１】特開２００５−４８９１号公報
【発明の概要】
【発明が解決しようとする課題】
【０００４】
ところで、ＤＪパフォーマンス等におけるプレイリストの作成では、ＤＪが持ち歩く数千〜数万の楽曲の中から、絞り込みにより特定の楽曲の選曲を行う場合のほか、ＢＰＭ等から感覚（イメージ）で選曲候補を絞り込み、その中から適宜選曲を行う場合がある。
かかる場合に、従来の項目検索方法では、記憶されている楽曲数が多いと（数千〜数万曲）、０．５秒のポーズと併せて、検索（選曲）に時間がかかる問題があった。また、従来の項目検索方法では、ユーザー自身の感覚を生かした選曲候補の絞込み検索には不向きであった。
【０００５】
本発明は、ユーザー自身の感覚を生かした選曲候補の検索を、迅速に行うことができる楽曲検索装置、楽曲検索方法、楽曲検索システムおよびプログラムを提供することを課題としている。
【課題を解決するための手段】
【０００６】
本発明の楽曲検索装置は、楽曲データの関連情報に基づいて、楽曲を検索する楽曲検索装置であって、関連情報別の複数の選択肢の中から、それぞれ１の選択肢を選択するための複数の選択操作部と、選択された関連情報別の選択肢を検索のＡＮＤ条件として、多数の楽曲から楽曲を検索する楽曲検索部と、検索された楽曲を表示する楽曲表示部と、を備えたことを特徴とする。
なお、ここで言う「楽曲データの関連情報」とは、楽曲データに付随するアーテイスト名、レーベル、ジャケットのイメージ色などの情報や、楽曲データの解析結果であるＢＰＭ（ピートパーミニッツ）、キー、曲調などの情報をいう。
【０００７】
この場合、複数の選択操作子は、それぞれ機械的な操作子で構成されていることが好ましい。
【０００８】
この場合、複数の選択操作子は、横並びに配置した複数のホイール型操作子で構成され、各ホイール型操作子には、１の選択肢を選択するためのプッシュスイッチが組み込まれていることが好ましい。
【０００９】
これらの場合、楽曲検索部は、任意の１の選択操作子による１の選択肢の選択に応じて、随時検索を実施することが好ましい。
【００１０】
また、複数種の関連情報には、ＢＰＭ、ジャケットのイメージ色、調性、曲調、レーティングおよび発売年代のうちの、複数種が含まれていることが好ましい。
【００１１】
さらに、複数の選択操作子にそれぞれ関連情報を設定するための関連情報設定部を、更に備えることが好ましい。
【００１２】
この場合、各選択操作子に沿わせて設けられ、設定された関連情報を表示する関連情報表示部を、更に備えることが好ましい。
【００１３】
また、各選択操作子に沿わせて設けられ、各選択操作子の選択操作に応じて複数の選択肢を循環表示する選択肢表示部を、更に備えることが好ましい。
【００１４】
一方、楽曲表示部は、検索された楽曲に、検索のＡＮＤ条件となった複数の選択肢を付して表示することが好ましい。
【００１５】
さらに、検索された楽曲は、プレイリストに登録するための候補であり、候補から１の楽曲が選択されたときに、当該楽曲をプレイリストに登録する楽曲登録部を、更に備えることが好ましい。
【００１６】
本発明の楽曲検索方法は、楽曲データの関連情報に基づいて、楽曲を検索する楽曲検索方法であって、関連情報別の複数の選択肢の中から、それぞれ１の選択肢を選択させる選択操作ステップと、選択された関連情報別の選択肢を検索のＡＮＤ条件として、多数の楽曲から楽曲を検索する楽曲検索ステップと、  検索された楽曲を表示する楽曲表示ステップと、を備えたことを特徴とする。
【００１７】
本発明の楽曲検索システムは、楽曲データの関連情報に基づいて、楽曲を検索する楽曲検索システムであって、関連情報別の複数の選択肢の中から、それぞれ１の選択肢を選択するための複数の選択操作部と、選択された関連情報別の選択肢を検索のＡＮＤ条件として、多数の楽曲から楽曲を検索する楽曲検索部と、検索された楽曲を表示する楽曲表示部と、を備えたことを特徴とする。
【００１８】
本発明のプログラムは、上記した楽曲検索方法における各ステップを実行させることを特徴とする。
【図面の簡単な説明】
【００１９】
【図１】第１実施形態に係るＤＪプレーヤーの構成図である。
【図２】第１実施形態に係るＤＪプレーヤーの操作パネルの説明図である。
【図３】第１実施形態に係るＤＪプレーヤーの機能構成を表したブロック図である。
【図４】第１実施形態に係るＤＪプレーヤーのプレイリスト作成におけるフローチャートである。
【図５】第２実施形態に係るＤＪプレーヤーの操作パネルの説明図である。
【発明を実施するための形態】
【００２０】
以下、添付の図面を参照して、本発明の一実施形態に係る楽曲検索装置、楽曲検索方法、楽曲検索システムおよびプログラムについて説明する。本実施形態では、本発明を適用したＤＪプレーヤーについて説明する。このＤＪプレーヤーは、プレイリストの作成に際し、絞り込みによる特定の楽曲の選曲と、感覚的に絞り込んだ楽曲からの選曲（レコメンド機能）と、を自在に且つ迅速に行い得るものである。また、選曲に際し、機械的な操作子を用いることで、操作感の向上と、選曲の確実性および迅速性を図るものである。
【００２１】
図１は、ＤＪプレーヤーの概略構成を表した構成図である。同図に示すように、ＤＪプレーヤー１０は、操作部１１、表示部１２、外部記憶装置インターフェース部１３（以下、「外部記憶装置Ｉ／Ｆ部１３」と表記する）、通信部１４、制御部１５、記憶部１６、再生処理部１７、音声出力部１８の他、これらを接続するバス１９を備えている。
【００２２】
操作部１１は、機械的な複数の選択操作部２１を有している。複数の選択操作部２１には、楽曲の関連情報Ａが割り振られており、選択操作部２１の個々の操作により、関連情報Ａ別の複数の選択肢Ｂの中から、それぞれ１の選択肢Ｂを選択できるようになっている。詳細は後述するが、記憶部１６には多数の楽曲とその関連情報Ａが記憶されており、この関連情報Ａには、ＢＰＭ、ジャケットのイメージ色、調性、曲調、レーティングおよび発売年代等が含まれている。なお、実施形態における選択操作部２１の数は３つであるが、その数は任意である。
【００２３】
表示部１２は、関連情報Ａに基づいて検索された１以上の楽曲を表示する楽曲表示部２２を有している。また、表示部１２は、各選択操作部２１に割り振られた関連情報Ａを表示する関連情報表示部２３と、各選択操作部２１における関連情報Ａの複数の選択肢Ｂを循環表示する選択肢表示部２４と、を有している。
【００２４】
外部記憶装置Ｉ／Ｆ部１３は、外部記憶装置２５から楽曲情報等を読み出すなど、制御部１５と外部記憶装置２５との間で情報の入出力を行う。なお、外部記憶装置２５は、記憶デバイス（外付けハードディスク装置など）や、メモリスロットで読出し可能なＵＳＢメモリなどである。
【００２５】
通信部１４は、インターネットやイントラネットなどのネットワークＮＴを介して、ネットワークＮＴ上の機器（サーバー）のメモリから楽曲情報等を取得するなど、制御部１５とネットワークＮＴ上の機器との間で通信を行う。
【００２６】
制御部１５は、ＣＰＵ（Central  Processing  Unit）、ＲＯＭ(Read  Only  Memory)、ＲＡＭ(Random  Access  Memory)等から成り、各種演算処理を行う。また、制御部１５は、操作部１１の操作に基づく表示部１２の表示制御、外部記憶装置Ｉ／Ｆ部１３および通信部１４を介して情報入出力制御、楽曲編集処理、楽曲の再生制御等を行う。楽曲編集処理は、プレイリストの作成を含むものであり、プレイリストの作成に際し、操作部１１の操作結果に基づく楽曲の検索処理や、検索処理後のプレイリストへの楽曲の登録処理等が実施される。
【００２７】
記憶部１６は、ハードディスクドライブ等から成り、検索処理を実現するための専用アプリケーション２６を記憶すると共に、多数（数千から数万）の楽曲情報を記憶する。楽曲情報としては、楽曲ファイル（または楽曲ファイルのパス）とその関連情報Ａを記憶する。関連情報Ａには、ＢＰＭ、ジャケットのイメージ色、調性、曲調、レーティングおよび発売年代等の種別がある。なお、これら関連情報Ａは、楽曲ファイルの解析結果から得ることも可能であり、また予め関連情報Ａとして設定されているものでもよい。すなわち、関連情報Ａには、ジャケットのイメージ色、レーティング、発売年代等の付随情報と、ＢＰＭ、調性、曲調等の解析情報とが含まれている。
【００２８】
再生処理部１７は、制御部１５の制御下で、楽曲ファイルの再生処理を行い、その再生信号を音声出力部１８に出力する。
【００２９】
音声出力部１８は、ＤＳＰ、アンプ、スピーカーまたはヘッドフォン等から成り、再生信号を外部出力する。なお、音声出力部１８としては、外付けのものを用いてもよい。
【００３０】
次に、図２を参照して、ＤＪプレーヤー１０の操作パネル３０について説明する。この操作パネル３０には、操作領域Ｅ１と表示領域Ｅ２とが左右横並びに配置されている。操作領域Ｅ１には、例えば上記の３つの選択操作部２１が横並びに配置されている。また、各選択操作部２１の奥側に沿わせて上記の関連情報表示部２３が、手前側に沿わせて上記の選択肢表示部２４が、それぞれ配置されている。一方、表示領域Ｅ２には、広く楽曲表示部２２が配置されている。
【００３１】
各選択操作部２１は、プッシュスイッチ付のホイール型操作子２８で構成されている。ホイール型操作子２８は、縦方向に回転操作するよう配置され、且つ３つのホイール型操作子２８は、視線移動を必要とすることなく感覚で操作できるように、所定の間隔を存して配置されている。ホイール型操作子２８の回転は、これに、割り振られた関連情報Ａの複数の選択肢Ｂをスクロール（選択肢表示部２４に表示）するものであり、プッシュスイッチの押下は、複数の選択肢Ｂのうちの１を決定（確定）するものである。すなわち、プッシュスイッチを押下すると、その時点で選択肢表示部２４に表示されている１の選択肢Ｂが選択（決定）される。
【００３２】
各関連情報表示部２３には、割り振られた関連情報Ａが表示される。実施形態の例では、左端のホイール型操作子２８（選択操作部２１）に対応する関連情報表示部２３に、ＢＰＭが割り振られ、中間のホイール型操作子２８（選択操作部２１）に対応する関連情報表示部２３に、ジャケットのイメージ色（ジャケ写）が割り振られ、右端のホイール型操作子２８（選択操作部２１）に対応する関連情報表示部２３に、調性（キー）が割り振られている。すなわち、左端の関連情報表示部２３の表示画面には、「ＢＰＭ」の文字が表示され、中間の関連情報表示部２３の表示画面には、「ジャケ写」の文字が表示され、右端の関連情報表示部２３の表示画面には、「キー」の文字が表示されている。
【００３３】
そして、左端のホイール型操作子２８を回転操作すると、選択肢表示部２４にはＢＰＭの選択肢Ｂが循環表示される。例えば、「１２０〜１２９」、「１３０〜１３９」、「１４０〜１４９」のように範囲指定されたＢＰＭの選択肢Ｂが、循環表示される。なお、ＢＰＭにおける選択肢Ｂの数および指定の範囲は任意である。
【００３４】
同様に、中間のホイール型操作子２８を回転操作すると、選択肢表示部２４にはジャケットのイメージ色（単色）の選択肢Ｂが循環表示される。例えば、「赤」、「青」、「黄色」のように文字表示したイメージ色の選択肢Ｂが循環表示される。なお、イメージ色は、文字ではなく色彩（色見本）の表示であってもよい。また、イメージ色の表示は、色相環に基づく配設で循環表示することが好ましいが、手持ちの楽曲の中で多いジャケ写色の順で表現する等、配設方法は任意である。
【００３５】
同様に、右端のホイール型操作子２８を回転操作すると、選択肢表示部２４には調性（キー）の選択肢Ｂが循環表示される。例えば、「Ｃ」、「Ｇ」、「Ｄ」のように文字表示したキーの選択肢Ｂが、循環表示される。なお、調性（キー）の表示は、五度圏に基づく配設で循環表示することが好ましいが、手持ちの楽曲の中で多いキーの順で表現する等、配設方法は任意である。
【００３６】
詳細は後述するが、このようにして選択された３つの選択肢Ｂを、検索のＡＮＤ条件として、記憶部１６の曲目リストＬから楽曲が検索され、その検索結果Ｃが楽曲表示部２２に表示される。この場合、３つのホイール型操作子２８は、独立に機能するため、それぞれの選択肢Ｂが変更されると、その都度、楽曲表示部２２に表示される検索結果Ｃの楽曲も変更される。
【００３７】
楽曲表示部２２は、検索結果Ｃの１以上の楽曲を表示するものであり、楽曲表示部２２の表示画面は、２〜３の楽曲を表示可能に構成されている。絞り込みにより、２〜３を越える楽曲が検索された場合には、図外のスクロールバー等によりスクロール表示可能に構成されている。この表示画面に表示される楽曲は、曲名の他、操作部１１により選択された選択肢Ｂをも表示するようになっている。すなわち、実施形態の例では、曲名に加え、当該楽曲の関連情報ＡであるＢＰＭの値、ジャケットのイメージ色（色見本）および調性（キー）が表示される。
【００３８】
操作部１１の各ホイール型操作子２８による選択肢Ｂの選択（決定）に対し、楽曲表示部２２の検索結果Ｃの表示はリアルタイムで行われる。したがって、実際の検索操作では、ＤＪの視線は基本的に楽曲表示部２２の表示画面にあり、操作部１１による選択結果は、選択肢表示部２４の表示画面ではなく、主にこの楽曲表示部２２の表示画面で確認することになる。
【００３９】
楽曲表示部２２に表示された１以上の楽曲は、操作部１１の選択操作に基づく検索結果Ｃであると同時に、プレイリスト（図示省略）に登録する楽曲の候補ともなっている。したがって、ＤＪは、楽曲表示部２２に表示された楽曲の中から、任意の１の楽曲を指定することで、当該楽曲をプレイリストに登録する（詳細は、後述する）。
【００４０】
次に、図３を参照して、プレイリスト作成におけるＤＪプレーヤー１０の機能構成について説明する。ＤＪプレーヤー１０は、主な機能構成として、関連情報設定部４１、検索条件決定部４２、楽曲検索部４３、楽曲登録部４４および表示制御部４５を備えている。なお、これらの各部のうち検索条件決定部４２は、操作部１１により実現される。また、検索条件決定部４２以外の各部は、上記の専用アプリケーション２６を用いた制御部１５により実現される。
【００４１】
関連情報設定部４１は、複数の選択操作部２１にそれぞれ関連情報Ａを設定するためのものである。上述のように、関連情報Ａには、ＢＰＭ、ジャケットのイメージ色、調性、曲調、レーティングおよび発売年代等があり、実施形態の例では、左端の選択操作部２１にＢＰＭを、中間の選択操作部２１にジャケットのイメージ色を、右端の選択操作部２１に調性（キー）が設定されている。これらの設定は、ＤＪの検索目的や好みによる。
【００４２】
検索条件決定部４２は、関連情報Ａ別の複数の選択肢Ｂの中から、それぞれ１の選択肢Ｂを選択（決定）するためのものである。すなわち、検索条件決定部４２は、プッシュスイッチ付のホイール型操作子２８と協働して、設定された関連情報Ａ毎に、その複数の選択肢Ｂの中から１の選択肢Ｂを選択（決定）する。実施形態の例では、左端の選択操作部２１においては、「ＢＰＭ」として「１２０〜１２９」が選択（決定）され、中間の選択操作部２１においては、「ジャケ写」として「青」が選択（決定）され、右端の選択操作部２１においては、「キー」として「Ｃ」が選択（決定）されている。
【００４３】
楽曲検索部４３は、選択された関連情報Ａ別の複数（図示のものは、３つ）の選択肢Ｂを、検索のＡＮＤ条件として、記憶部１６に記憶されている多数の楽曲から１以上の楽曲を検索する。実施形態の例では、ＢＰＭ：「１２０〜１２９」、ジャケットのイメージ色：「青」、調性：「Ｃ」、を検索のＡＮＤ条件として検索が実施され、「曲Ｃ」および「曲Ｆ」が検索されている。楽曲検索部４３の検索処理は、選択操作部２１による１の選択肢Ｂの選択をトリガとしてリアルタイムで行われる。したがって、任意の１の関連情報Ａにおける選択肢Ｂが変更されると、その都度、検索結果Ｃの楽曲も更新される。
【００４４】
楽曲登録部４４は、検索結果Ｃの楽曲の中から指定された楽曲をプレイリスト（図示省略）に登録する。すなわち、楽曲検索部４３による検索結果Ｃを表示する楽曲表示部２２において、カーソル等により任意の１の楽曲が指定されると、楽曲登録部４４は、この楽曲をプレイリストに登録する。実施形態の例では、楽曲表示部２２に検索結果Ｃの「曲Ｃ」および「曲Ｆ」が登録候補として表示されており、このうち「曲Ｃ」が指定されプレイリストに登録される。
【００４５】
表示制御部４５は、関連情報設定部４１によりそれぞれ設定された関連情報Ａを、それぞれ関連情報表示部２３に表示する。また、表示制御部４５は、関連情報Ａの複数の選択肢Ｂを、検索条件決定部４２に応じて選択肢表示部２４にスクロール表示する。さらに、表示制御部４５は、楽曲検索部４３により検索された１以上の楽曲を、リアルタイムで楽曲表示部２２に表示する。また、表示制御部４５は、楽曲表示部２２において、楽曲登録部４４に従い楽曲を登録するためのカーソル等を表示する。
【００４６】
次に、図４を参照して、プレイリスト作成のフローについて、簡単に説明する。先ず、左端の選択操作部２１、中間の選択操作部２１および左端の選択操作部２１に、それぞれ関連情報Ａの設定が行われる（Ｓ０１）。続いて、これら各選択操作部２１において、ホイール型操作子２８の回転操作とプッシュスイッチの押下とにより、それぞれの関連情報Ａの選択肢Ｂの選択が行われる（Ｓ０２）。選択が行われると、楽曲の検索が実施され（Ｓ０３）、その検索結果Ｃが楽曲表示部２２に表示される（Ｓ０４）。
【００４７】
この場合、例えば左端の選択操作部２１において、関連情報Ａの選択（決定）が行われると、その時点で（１の選択情報のみで）検索が行われ、その結果が表示される。続いて、中間の選択操作部２１において、関連情報Ａの選択（決定）が行われると、その時点で（２の選択情報で）ＡＮＤ検索が行われ、その結果が表示される。続いて、右端の選択操作部２１において、関連情報Ａの選択（決定）が行われると、その時点で（３の選択情報で）ＡＮＤ検索が行われ、その結果が表示される。また、決定した選択肢Ｂを変更した場合も、同様にＡＮＤ検索が行われ、結果が表示される。
【００４８】
次に、検索結果Ｃをプレイリストへの登録候補として、検索結果Ｃの楽曲の中から登録すべき楽曲の指定が行われ（Ｓ０５）、指定された楽曲のプレイリストへの登録が行われる（Ｓ０６）。この場合、楽曲の指定（登録）は、上記の１の選択情報による検索結果Ｃに対して行なわれる場合、２の選択情報による検索結果Ｃに対して行なわれる場合および３の選択情報による検索結果Ｃに対して行なわれる場合がある。すなわち、ＤＪは、３つの選択操作部２１を使用して適宜、楽曲の絞り込みを行いながら選曲（プレイリストへの登録）を行う。以上の動作を繰り返すことにより、複数の楽曲の選曲が実施され、プレイリストが完成する。
【００４９】
次に、図５を参照して、第２実施形態に係るＤＪプレーヤー１０について説明する。第２実施形態の操作パネル３０には、操作部１１として、ホイール型操作子２８に代えて、タッチパネルの構成が採用されている。
【００５０】
この場合、操作パネル３０は、一体の表示画面で構成され、操作領域Ｅ１には、例えば上記の３つの選択操作部２１を構成する３つのタッチ操作部ＴＰが横並びに配置されている。また、表示領域Ｅ２には、広く楽曲表示部２２が配置されている。この場合も、３つのタッチ操作部ＴＰ（選択操作部２１）には、それぞれ関連情報Ａが割り振られる（設定される）ようになっている。各タッチ操作部ＴＰは、スライドタッチにより、該当する関連情報Ａの選択肢Ｂがホイール形式でスクロール表示され、表示された任意の１の選択肢Ｂをタッチすることにより、その選択肢Ｂがハイライト表示され選択（決定）される。
【００５１】
この実施形態の例では、第１実施形態と同様に、左端のタッチ操作部ＴＰにＢＰＭが設定され（「ＢＰＭ」）、中間のタッチ操作部ＴＰにジャケットのイメージ色が設定され（「ジャケ写」）、右端のタッチ操作部ＴＰに調性が設定され（「キー」）ている。但し、ジャケットのイメージ色は、第１実施形態と異なり、矩形の色見本で表示されている。そして、検索結果Ｃとして、楽曲表示部２２には、「曲Ｃ」、「曲Ｆ」、「曲Ｘ」が表示され、且つ「曲Ｆ」が指定（登録）されている。
【００５２】
以上のように、本実施形態によれば、独立した複数の選択操作部２１によりそれぞれ選択された関連情報Ａ別の複数の選択肢Ｂを、検索のＡＮＤ条件として１以上の楽曲を検索するようにしているため、楽曲の絞り込みを効率良く行うことができる。また、ユーザー自身の感覚を生かした選曲候補の検索を、迅速に行うことができる。特に、ＤＪにおいては、絞り込みによる特定の楽曲を選曲する場合の他、感覚的に絞り込んだ楽曲からの選曲を行う場合があり、かかる場合に、プレー中であっても、選曲を自在に且つ迅速に行うことができ、且つ馴染みのない或いは聴いたことのない楽曲でも、選曲の対象とすることができる。
【００５３】
しかも、複数の選択操作部２１の個々の選択操作に対し、リアルタイムで検索を実施するようにしているため、楽曲の絞込み方法における自由度が増し、この点でも、選曲を効率良く且つ迅速に行うことができる。
【００５４】
また、第１実施形態において、選択操作部２１をホイール型操作子２８、すなわち機械的な操作子で構成しているため、適度なクリック感や抵抗感を持って選曲操作を行うことができる。したがって、選曲に際し、操作感の向上と選曲の確実性および迅速性とを図ることができる。なお、機械的な操作子として、ダイヤル型操作子を用いるようにしてもよい。
【００５５】
一方、本実施形態は、本発明の楽曲検索装置を専用装置であるＤＪプレーヤー１０に組み込んだ場合について説明したが、本発明を、例えばＤＪコントローラ（操作部）およびパーソナルコンピュータ（専用アプリケーション）に組み込んで、システム構成としてもよい。
【００５６】
また、これらの実施形態において、各選択操作部２１（タッチ操作部ＴＰ）により選択された１の選択肢Ｂに対し、近似する１以上の選択肢Ｂである近似選択肢を付加するようにしてもよい。すなわち、１の選択肢Ｂの１以上の近似選択肢を加えた選択肢Ｂを検索のＡＮＤ条件として検索を実施する。これにより、ＤＪが、感覚的に絞り込んだ楽曲からの選曲を行う場合に有用となる。
【符号の説明】
【００５７】
１０  ＤＪプレーヤー、１１  操作部、１２  表示部、１５  制御部、１６  記憶部、２１  選択操作部、２２  楽曲表示部、２３  関連情報表示部、２４  選択肢表示部、２６  専用アプリケーション、２８  ホイール型操作子、４１  関連情報設定部、４２  検索条件決定部、４３  楽曲検索部、４４  楽曲登録部、４５  表示制御部、Ａ  関連情報、Ｂ  選択肢、Ｃ  検索結果、Ｌ  曲目リスト、ＴＰ  タッチ操作部
【図１】
2015082281.tif 000003
【図２】
2015082281.tif 000004
【図３】
2015082281.tif 000005
【図４】
2015082281.tif 000006
【図５】
2015082281.tif 000007